【手続補正書】
【提出日】平成18年11月17日(2006.11.17)
【手続補正１】
【補正対象書類名】明細書
【補正対象項目名】全文
【補正方法】変更
【補正の内容】
【書類名】明細書
【発明の名称】吸収性物品及びその包装構造
【特許請求の範囲】
【請求項１】前後端部の使用面のみに露出して粘着部を有することを特徴とする吸収性物品。
【請求項２】少なくとも前後端部の使用面に露出して粘着部を有する吸収性物品の包装構造であって、
前記使用面に対向して前記吸収性物品の幅より広幅の被覆材が配置され、この被覆材が前記各粘着部を被覆していることを特徴とする吸収性物品の包装構造。
【請求項３】被覆材により吸収性物品が被覆された状態で全体が前後方向に折り畳まれ、前記被覆材の前後が重なって前記吸収性物品を包んでいる請求項２記載の吸収性物品の包装構造。
【請求項４】少なくとも前後端部の使用面に露出して粘着部を有する吸収性物品の包装構造であって、
前記使用面の反対側の裏面に対向して前記吸収性物品の幅より広幅でかつ前後方向長さより長い被覆材が配置され、この被覆材の前後端部が前記吸収性物品の前後端縁を回り込んで使用面側に達し、各粘着部を被覆していることを特徴とする吸収性物品の包装構造。
【請求項５】被覆材により吸収性物品が被覆された状態で全体が前後方向に折り畳まれ、前記被覆材の前後が重なって前記吸収性物品を包んでいる請求項４記載の吸収性物品の包装構造。
【請求項６】少なくとも両側部の使用面に露出して粘着部を有する吸収性物品。
【請求項７】少なくとも両側部の使用面に露出して粘着部を有する吸収性物品の包装構造であって、
前記使用面に対向して前記吸収性物品の幅より広幅の被覆材が配置され、この被覆材が前記各粘着部を被覆していることを特徴とする吸収性物品の包装構造。
【請求項８】被覆材により吸収性物品が被覆された状態で全体が前後方向に折り畳まれ、前記被覆材の前後が重なって前記吸収性物品を包んでいる請求項７記載の吸収性物品の包装構造。
【請求項９】少なくとも両側部の使用面に露出して粘着部を有する吸収性物品の包装構造であって、
前記使用面の反対側の裏面に対向して前記吸収性物品の幅より広幅でかつ前後方向長さより長い被覆材が配置され、この被覆材の前後端部が前記吸収性物品の前記側縁を回り込んで使用面側に達し、各粘着部を被覆していることを特徴とする吸収性物品の包装構造。
【請求項１０】被覆材により吸収性物品が被覆された状態で全体が前後方向に折り畳まれ、前記被覆材の前後が重なって前記吸収性物品を包んでいる請求項９記載の吸収性物品の包装構造。
【請求項１１】吸収性物品は被覆材とともに前後方向に折り畳まれ、その折り畳み状態で被覆材の一方端部と他の部分とが仮止めされている請求項２〜５、７〜１０のいずれか１項に記載の吸収性物品の包装構造。
【発明の詳細な説明】
【０００１】
【発明の属する技術分野】
本発明は、生理用ナプキン、パンティーライナー、おりものシート、失禁パッドなどの体液を受け止め吸収する吸収性物品とその包装構造に関する。
【０００２】
【従来の技術】
たとえば、生理用ナプキンにおいて、ナプキン本体の裏面（使用面に対した反対側の面）に予め設けられた粘着剤層を利用して下着の内面に止め付けることでもズレ止めを図ることが知られている。
【０００３】
一方、ナプキン本体の裏面でなく、使用面に粘着剤層を形成することは、特表２０００−５０５６９７号及び同５０５６９８号（以下これらを「先行技術」という。）により知られている。しかし、先行技術には、具体的に粘着剤層を使用面のいかなる部位に設けるかについて教示はない。
【０００４】
【発明が解決しようとする課題】
しかし、先行技術は、単純に生理用ナプキンを肌に宛がうだけで装着できる点において大きな利点があること、その反面、使用面の粘着剤を例えば経血の排液部位に適用すると、経血の吸収性が阻害されるとともに、陰毛が多くある部分に対しては粘着剤による接着性が十分でないことが知見された。
【０００５】
したがって、本発明の主たる課題は、経血の吸収性が阻害されることを解消するとともに、肌に対して十分な粘着剤による接着性が発揮し、ズレを防止できる吸収性物品を提供することにある。
【０００６】
他の課題は、前記吸収性物品を好適に包装できる包装構造を提供することにある。
【０００７】
さらに別の課題は、以下の説明により推測できよう。
【０００８】
【課題を解決するための手段】
上記課題を解決した本発明は次記のとおりである。
＜請求項１項記載の発明＞
前後端部の使用面のみに露出して粘着部を有することを特徴とする吸収性物品。
【０００９】
（作用効果）
粘着部は前後端部の使用面にあるので、ズレを防止できる。しかも、粘着部は前後端部の使用面のみにあるので、中央部での経血の吸収性が阻害されることはない。さらに、前後端部は陰毛も少なく、また前側に陰毛があるとしても多くは寝ている状態にあるから、肌に対して十分な粘着剤による接着性が発揮し、ズレを防止できる。
【００１０】
＜請求項２項記載の発明＞
少なくとも前後端部の使用面に露出して粘着部を有する吸収性物品の包装構造であって、
前記使用面に対向して前記吸収性物品の幅より広幅の被覆材が配置され、この被覆材が前記各粘着部を被覆していることを特徴とする吸収性物品の包装構造。
【００１１】
（作用効果）
使用面に対向して前記吸収性物品の幅より広幅の被覆材が配置され、この被覆材が前後端部の各粘着部を被覆しているので、使用時まで各粘着部の粘着性を阻害させない状態を維持できる。さらに、特に使用面を被覆材が覆っているので、包装を解いて吸収性物品を局所に当てがうまでの間、手が使用面を触れることがなくなり、きわめて衛生的なものとなる。
【００１２】
＜請求項３項記載の発明＞
被覆材により吸収性物品が被覆された状態で全体が前後方向に折り畳まれ、前記被覆材の前後が重なって前記吸収性物品を包んでいる請求項２記載の吸収性物品の包装構造。
【００１３】
（作用効果）
使用面に対向して前記吸収性物品の幅より広幅の被覆材をもって、吸収性物品を被覆した状態で全体が前後方向に折り畳まれ、前記被覆材の前後が重なって前記吸収性物品を包んでいるので、吸収性物品全体を衛生的に包装できるとともに、全体が前後方向に折り畳まれることで、コンパクト化を図ることができる。
【００１４】
＜請求項４項記載の発明＞
少なくとも前後端部の使用面に露出して粘着部を有する吸収性物品の包装構造であって、
前記使用面の反対側の裏面に対向して前記吸収性物品の幅より広幅でかつ前後方向長さより長い被覆材が配置され、この被覆材の前後端部が前記吸収性物品の前後端縁を回り込んで使用面側に達し、各粘着部を被覆していることを特徴とする吸収性物品の包装構造。
【００１５】
（作用効果）
被覆材を裏面側に対向させる場合において、その被覆材の前後端部を吸収性物品の前後端縁を回り込ませ使用面側に延在させ、各粘着部を被覆することにより、各粘着部を保護することができる。
【００１６】
＜請求項５項記載の発明＞
被覆材により吸収性物品が被覆された状態で全体が前後方向に折り畳まれ、前記被覆材の前後が重なって前記吸収性物品を包んでいる請求項４記載の吸収性物品の包装構造。
【００１７】
（作用効果）
全体が前後方向に折り畳まれることで、コンパクト化を図ることができる。
【００１８】
＜請求項６項記載の発明＞
少なくとも両側部の使用面に露出して粘着部を有する吸収性物品。
【００１９】
（作用効果）
粘着部は両側部の使用面にあるので、特に横方向のズレを防止できる。
【００２０】
＜請求項７項記載の発明＞
少なくとも両側部の使用面に露出して粘着部を有する吸収性物品の包装構造であって、
前記使用面に対向して前記吸収性物品の幅より広幅の被覆材が配置され、この被覆材が前記各粘着部を被覆していることを特徴とする吸収性物品の包装構造。
【００２１】
（作用効果）
使用面に対向して前記吸収性物品の幅より広幅の被覆材が配置され、この被覆材が前後端部の各粘着部を被覆しているので、使用時まで各粘着部の粘着性を阻害させない状態を維持できる。さらに、特に使用面を被覆材が覆っているので、包装を解いて吸収性物品を局所に当てがうまでの間、手が使用面を触れることがなくなり、きわめて衛生的なものとなる。
【００２２】
＜請求項８項記載の発明＞
被覆材により吸収性物品が被覆された状態で全体が前後方向に折り畳まれ、前記被覆材の前後が重なって前記吸収性物品を包んでいる請求項７記載の吸収性物品の包装構造。
【００２３】
（作用効果）
全体が前後方向に折り畳まれることで、コンパクト化を図ることができる。
【００２４】
＜請求項９項記載の発明＞
少なくとも両側部の使用面に露出して粘着部を有する吸収性物品の包装構造であって、
前記使用面の反対側の裏面に対向して前記吸収性物品の幅より広幅でかつ前後方向長さより長い被覆材が配置され、この被覆材の前後端部が前記吸収性物品の前記側縁を回り込んで使用面側に達し、各粘着部を被覆していることを特徴とする吸収性物品の包装構造。
【００２５】
（作用効果）
被覆材を裏面側に対向させる場合において、その被覆材の前後端部を吸収性物品の前後端縁を回り込ませ使用面側に延在させ、各粘着部を被覆することにより、各粘着部を保護することができる。
【００２６】
＜請求項１０項記載の発明＞
被覆材により吸収性物品が被覆された状態で全体が前後方向に折り畳まれ、前記被覆材の前後が重なって前記吸収性物品を包んでいる請求項９記載の吸収性物品の包装構造。
【００２７】
（作用効果）
全体が前後方向に折り畳まれることで、コンパクト化を図ることができる。さらにこの状態で、前後方向に折り畳まれ、前記被覆材の前後が重なって前記吸収性物品を包んでいることで、被覆材の側縁の密封シールを行わなくとも衛生的なものとなる。
【００２８】
＜請求項１１項記載の発明＞
吸収性物品は被覆材とともに前後方向に折り畳まれ、その折り畳み状態で被覆材の一方端部と他の部分とが仮止めされている請求項２〜５、７〜１０のいずれか１項に記載の吸収性物品の包装構造。
【００２９】
【発明の実施の形態】
以下本発明の実施の形態を図面を参照しながらさらに詳説する。
『第１の実施の形態（請求項１〜３に関連）』
図１〜図５に示す第１の実施の形態において、代表例が生理用ナプキンである吸収性物品Ｘ１は、展開状態においてほぼ小判状をなしている。吸収性物品Ｘ１は、肌に当たる面としての使用面側に体液透過性の表面シート１と体液不透過性裏面シート２との間に吸収要素が介在されたものである。実施の形態の吸収要素は、使用面側から裏面側にかけて、第１シート３、第２シート４、第３シート５、第４シート６を有する。第１シート３及び第２シート４は透液性材料からなる。第３シート５は、高分子吸収樹脂を包含する高吸収能を発揮するもので、第２シート４が図２に示すように額巻きしている。第４シート６は、体液不透過性のややたとえば厚手のプラスチックシートからなる。この種の吸収要素を表面シート１及び裏面シート２が内包し、それらの周囲部がたとえば熱シールなどによりシールされている。表面シート１と第１シート３とは、図１に示されているように、表面側からエンボスｅにより部分的に一体化されて、吸収性を高めている。
【００３０】
さて、本発明に係る少なくとも吸収性物品Ｘ１の前後端部の使用面には、粘着部１０が露出して形成されている。使用面側の粘着部（または粘着部１０または後述の粘着部２０）とは、ホットメルト接着剤からなるもの、感圧粘着剤からなるものなどであり、人体の肌に対して接着性を有するもの全般を意味する。
【００３１】
実施の形態の粘着部１０は、層状態で形成されている。粘着部１０の位置は、フラップ部分より吸収要素がある位置が好適である。
【００３２】
さて、かかる吸収性物品Ｘ１の包装に際し被覆材が用意される。実施の形態での被覆材は、片面が離型性を有する薄手のプラスチックシートからなる剥離兼用外装シート３１であり、使用面に対向して吸収性物品Ｘ１の幅より広幅で、好適には図示のように吸収性物品Ｘ１の長手方向長さより長いものであり、この剥離兼用外装シート３１が各粘着部１０、１０を被覆している。また、剥離兼用外装シート３１の長手方向端部には、非離型性面に基部がホットメルト接着剤などにより固定され、自由端部に粘着剤層６０ａを有する止着テープ６０が固定され、止着テープ６０の先端部は折り返されて摘み部とされている。
【００３３】
図３に示すように、剥離兼用外装シート３１の離型性面に、吸収性物品Ｘ１が当てられ、各粘着部１０、１０が剥離兼用外装シート３１により被覆される。次いで、図４に示すように、止着テープ６０の取り付け側と反対側において、剥離兼用外装シート３１及び吸収性物品Ｘ１を、その裏面側に折り、その後、止着テープ６０の取り付け側を折り、先に折った面の外面に重ね、図５に示すように、止着テープ６０により粘着剤層６０ａを介して接着させる。剥離兼用外装シート３１の折り重ね両側部は、ヒートシール６１などにより密封する。
【００３４】
ここで、後述の実施の形態も同様であるが、剥離兼用外装シート３１は、吸収性物品Ｘ１の長手方向長さより長いほか、短くてもよい。すなわち、止着テープ６０の取り付け側と反対側の端縁を、吸収性物品Ｘ１の長手方向端縁の内側に位置させて折り畳むことで、図５と同様の包装形態を採ることができる。また、止着テープ６０に代えて、剥離兼用外装シート３１の折り重ね端縁部分の内面と対向する面とをヒートシール６１することにより密封することもできる。
【００３５】
『第２の実施の形態（請求項４、５に関連）』
図６〜図８に示す第２の実施の形態では、吸収性物品Ｘ１の幅より広幅でかつ前後方向長さより長い剥離兼用外装シート３１を、その離型性面を吸収性物品Ｘ１の裏面シート２に対向させて配置した状態で、剥離兼用外装シート３１により包装を行うものである。
【００３６】
包装に際しては、図６の状態から、剥離兼用外装シート３１の前後端部を吸収性物品Ｘ１の前後端縁を回り込んで使用面側に持ち込み（この状態は図８にも図示されている）、各粘着部１０,１０を被覆する。その後は、第１の実施の形態と同様に、図７の谷折り線をもって三つ折りし、図５と同様な包装形態を取る。
【００３７】
『第３の実施の形態（請求項６〜８に関連）』
第１の実施の形態では、粘着部が前後方向端部に有するのに対して、図９及び図１０に示す第３の実施の形態では、吸収性物品Ｘ２の両側部に粘着部２０,２０を有する。実施の形態の粘着部２０は、層状態で形成されている。粘着部２０の位置は、フラップ部分より吸収要素がある位置が好適である。
【００３８】
包装に際しては、第１の実施の形態と同様に、図１０に示されているように、剥離兼用外装シート３１の離型性面に、吸収性物品Ｘ２が当てられ、各粘着部２０、２０が剥離兼用外装シート３１により被覆される。次いで、第１の実施の形態と同様に、三つ折り及び密封が図られる。
【００３９】
『第４の実施の形態（請求項９及び１０に関連）』
第３の実施の形態による、両側部に粘着部２０,２０を有する吸収性物品Ｘ２の包装に際して、第２の実施の形態と同様に、図１１に示すように、剥離兼用外装シート３１を、その離型性面を吸収性物品Ｘ２の裏面側に対向させて配置した上で包装することができる。この包装に際しては、図１２に示すように、剥離兼用外装シート３１の両端部を吸収性物品Ｘ２の側縁を回り込んで使用面側に持ち込み、各粘着部２０,２０を被覆する。その後は、第１の実施の形態と同様に、図１２の谷折り線をもって三つ折りし、図５と同様な包装形態を取る。
【００４０】
『その他の形態』
上記例において、粘着部１０の形成形態は、代表的に図１に示すように、吸収性物品Ｘ１の前後において幅方向に沿う一列を形成する態様のほか、図１３に示す形態をなどを採用できる。すなわち、図１３の（Ａ）は、幅方向に間隔をおいて、前後方向に沿う粘着部１０を１０,１０…を形成した例であり、その粘着部１０群は吸収性物品Ｘ１の端縁とほぼ平行な円弧状をなしている。図１３の（Ｂ）は、三角の角位置に幅方向に沿う形態で粘着部１０,１０…を形成した例であり、図１３の（Ｃ）は前後方向に間隔をおいて幅方向に沿う形態で前後方向中央ほど幅が長い粘着部１０,１０…を形成した例であり、図１３の（Ｄ）は、幅方向に間隔をおいて、前後方向に沿う粘着部１０を１０,１０…を形成した例であり、幅方向中央に向かうほぼ前後方向長さを長くし、かつ、幅方向中央側の端部の位置を揃えた例である。このほか、単一の粘着部の形状自体及び配置形態は適宜選択できる。図１３に示すように、一方の端部側において複数の粘着部を形成する場合において、使用後において肌から吸収性物品Ｘ１を剥離するときに、（Ｂ）及び（Ｃ）の態様では、不連続的な剥離感覚により痛みを感じ易いが、（Ａ）及び（Ｄ）の態様では連続的な剥離感覚となり、痛みが少ないので望ましい。
【００４１】
さらに、上記例ではほぼ線状に粘着部１０及び粘着部２０を形成したものであるが、ドット状（点状）などをもって粘着部を形成することもできる。また、粘粘着部１０及び粘着部２０は、使用面に直接形成したものであるが、必要ならば、その形成部位において、使用面に基材シートを固定し、その基材シート上に粘粘着部１０及び粘着部２０を形成することもできる。なお、上記例の粘着部１０及び粘着部２０は、層として形成するものであるが、その部位が肌に対して粘着性を示す限り、層状に形成することに限定されない。また、使用面の前後に粘着部１０、１０及び両側部に粘着部２０、２０をもった吸収性物品をも提供できる。
【００４２】
他方で、上記例においては、被覆材を剥離兼用外装シート３１、たとえばシリコン処理などの離型処理したプラスチックシートや目止め処理した紙からなるものにより粘着部１０を被覆した。この被覆材による被覆に際して、使用面側からの場合と裏面側からの各態様があることは前述のとおりである。先の図８の例は、裏面側からの被覆例である。この図８の図示例との比較で、使用面側からの被覆例を改めて説明すると、図１４は剥離兼用外装シート３１により使用面側から被覆した例である。図１５は、粘着部１０の対向面がシリコン処理などの離型処理した剥離シート３２をホットメルト接着剤３３により外装シート３４に一体化、または剥離シート３２に対するホットメルト接着剤３３の剥離強度を、剥離シート３２に対する粘着部１０の剥離強度より大きくすることにより実質的に一体化したものであり、外装シート３４を持って剥がすときに、剥離シート３２、３２が一体となって粘着部１０、１０から剥がすようにしたものである。この形態では、外装シート３４を離型処理する必要がないので、プラスチックシートのほか、感触に優れた不織布などを比較的低コストで使用できる利点である。図１６に示すように、剥離シート３２は前後に分割されることなく一枚のものでもよい。この場合、中間の浮き上がり防止のために、中間をホットメルト接着剤３３により固定することができる。
【００４３】
図１７は、裏面側からの被覆の他の例を示したもので、図１５の形態と同様に、粘着部１０の対向面がシリコン処理などの離型処理した剥離シート３２をホットメルト接着剤３３により外装シート３４に一体化、または剥離シート３２に対するホットメルト接着剤３３の剥離強度を、剥離シート３２に対する粘着部１０の剥離強度より大きくすることにより実質的に一体化したものであり、外装シート３４を持って剥がすときに、剥離シート３２、３２が一体となって粘着部１０、１０から剥がすようにしたものである。図１８も裏面側からの被覆の例を示したもので、長手方向中間において、外装シート３４に粘着剤３５を設けるとともに、少なくともこの粘着剤３５が対向する裏面シート２の裏面に予め離型処理しておくものである。この例においては、外装シート３４を持って剥がすときに、剥離シート３２、３２が一体となって粘着部１０、１０から剥がれるとともに、粘着剤３５が裏面シート２の裏面から剥がれるものである。また、包装状態において、図１７の形態と異なり、外装シート３４の中間部が粘着剤３５により裏面シート２の裏面に固定されるために、包装形態、たとえば前後方向の三つ折り包装時において外装シート３４が吸収性物品Ｘ１から浮き上がることを防止でき、安定した生産操業及び物流を行うことができる。
【００４４】
粘着剤３５の位置としては、裏面シート２の裏面の長手方向に複数、好適には前後及び両側部に設けるのが望ましい。図１８の形態において、裏面シート２の離型処理面に対する粘着剤３５の剥離強度が、剥離シート３２の離型処理面に対する粘着部１０の剥離強度よりも大きいほうが、外装シート３４の開封性が向上するために望ましい。
【００４５】
図１９は、先に図１２で示したように、吸収性物品Ｘ２に剥離兼用外装シート３１で被覆する例に対して、外装シート２４と剥離シート３２とを用いて被覆する例を示したものである。すなわち、粘着部２０の対向面がシリコン処理などの離型処理した剥離シート３２をホットメルト接着剤３３により外装シート３４に一体化、または剥離シート３２に対するホットメルト接着剤３３の剥離強度を、剥離シート３２に対する粘着部２０の剥離強度よりも大きくすることにより実質的に一体化したものであり、外装シート３４を持って剥がすときに、剥離シート３２、３２が一体となって粘着部２０、２０から剥がすようにしたものである。この例も含めて図１２の例においても、吸収性物品Ｘ２を裏面側から巻き上げる例においては、長手方向に使用面側を内側として折るたとえば三つ折り形態では、吸収性物品Ｘ２の側部は被覆材により被覆されているので、側部をヒートシール６１などにより密封することを省略することが可能である。
【００４６】
包装形態として、いわゆる「ワンステップラップ」形態を採ることができる。この例を図２０及び図２１に示した。図２０の形態においては、粘着部１０と対向する面が剥離処理された処理紙などからなる剥離シート３２により吸収性物品Ｘ１の使用面を被覆し、裏面シート２と対向して外装シート３４を設け、その外装シート３４の裏面シート２の対向面に粘着剤３５を設けるとともに、少なくともこの粘着剤３５が対向する裏面シート２の裏面に予め離型処理しておくものである。粘着剤３５は長手方向に複数、好適には前後及び中央部に設ける。さらに、前側、すなわち止着テープ６０側の粘着剤３５は、粘着部１０より前側に偏位させておくと、剥離開始が常に前側の粘着剤３５から確実に行われるようになる。他方、適宜の時点で、前側の剥離シート３２の外面にホットメルト接着剤３３を設け、図２０の下段に示すように、後側を折り畳んだときの外装シート３４の後側の外面に接着させ、三つ折り重ね合わせ固定状態とする。
【００４７】
この例においては、裏面シート２の離型処理部に対する粘着剤３５の剥離強度が、剥離シート３２に対する粘着部１０の剥離強度より大きく、さらには、両者の剥離強度よりも、ホットメルト接着剤３３の接合強度が大きく（好ましくは一体化）することで、外装シート３４及び剥離シート３２が一連で（ワンステップで）剥離することができる。
【００４８】
図２１の形態においては、粘着部１０と対向する面が剥離処理された処理紙などからなる剥離シート３２を、前後に分割して設け、吸収性物品Ｘ１の使用面を一部被覆し、最終的には、外装シート３４により被覆する例である。
【００４９】
外装シート３４は、裏面シート２と対向して設け、その外装シート３４の裏面シート２の対向面に粘着剤３５を設けるとともに、この粘着剤３５が対向する裏面シート２の裏面に予め離型処理しておくものである。粘着剤３５は長手方向に複数、好適には前後及び中央部に設ける。さらに、前側、すなわち止着テープ６０側の粘着剤３５は、粘着部１０より前側に偏位させておくと、剥離開始が常に前側の粘着剤３５から確実に行われるようになる。他方、適宜の時点で、前側の剥離シート３２の外面にホットメルト接着剤３３Ａを設け、後側の剥離シート３２の外面にホットメルト接着剤３３Ｂを設け、図２１の下段に示すように、後側を折り畳んだときの外装シート３４の後側の外面に、ホットメルト接着剤３３Ａにより前側剥離シート３２の外面を接着させ、三つ折り重ね合わせ固定状態とする。このとき、前後の剥離シート３２、３２同士はホットメルト接着剤３３Ｂにより接合する。
【００５０】
この例においては、裏面シート２の離型処理部に対する粘着剤３５の剥離強度が、剥離シート３２に対する粘着部１０の剥離強度より大きく、さらには、両者の剥離強度よりも、ホットメルト接着剤３３Ａ，３３Ｂの接合強度が大きく（好ましくは一体化）することで、外装シート３４及び剥離シート３２が一連で（ワンステップで）剥離することができる。
【００５１】
上記の「ワンステップラップ」形態を、吸収性物品Ｘ２にも適用することは直ちに判るであろう。
【００５２】
【発明の効果】
以上のとおり、本発明によれば、経血の吸収性が阻害されることを解消するとともに、肌に対して十分な粘着剤による接着性が発揮し、ズレを防止できる吸収性物品を得ることができる。さらに、前記吸収性物品を好適に包装できる。
【図面の簡単な説明】
【図１】
本発明の第１の実施の形態に係る吸収性物品Ｘ１の一部破断展開図である。
【図２】
その断面図である。
【図３】
包装を解いて展開した状態の裏面側からの視図である。
【図４】
包装過程の概略斜視図である。
【図５】
包装状態の概略斜視図である。
【図６】
第２の実施の形態に係る、包装を解いて展開した状態の使用面側からの視図である。
【図７】
第２の実施の形態に係る包装形態を説明するための使用面側からの視図である。
【図８】
その側面図である。
【図９】
本発明の第３の実施の形態に係る吸収性物品Ｘ２の展開図である。
【図１０】
第３の実施の形態に係る、包装を解いて展開した状態の裏面側からの視図である。
【図１１】
第３の実施の形態に係る、包装を解いて展開した状態の使用側からの視図である。
【図１２】
第３の実施の形態に係る、包装過程の概略図である。
【図１３】
粘着部の各種配置形態説明図である。
【図１４】
他の包装形態を示す展開状態概要図である。
【図１５】
他の包装形態を示す展開状態概要図である。
【図１６】
他の包装形態を示す展開状態概要図である。
【図１７】
他の包装形態を示す展開状態概要図である。
【図１８】
他の包装形態を示す展開状態概要図である。
【図１９】
他の包装形態を示す展開状態概要図である。
【図２０】
第１のワンステップラップ形態の説明図である。
【図２１】
第２のワンステップラップ形態の説明図である。
【符号の説明】
１…表面シート、２…裏面シート、３…第１シート、４…第２シート、５…第３シート、６…第４シート、１０，２０…粘着部、３１…剥離兼用外装シート、３２…剥離シート、３３…ホットメルト接着剤、３４…外装シート、３５…粘着部、６０…止着テープ、６０ａ…粘着剤層、６１…ヒートシール、Ｘ１，Ｘ２…吸収性物品、ｅ…エンボス。
【手続補正２】
【補正対象書類名】図面
【補正対象項目名】図８
【補正方法】変更
【補正の内容】
【図８】
2003062010.tif 000001
【手続補正３】
【補正対象書類名】図面
【補正対象項目名】図９
【補正方法】変更
【補正の内容】
【図９】
2003062010.tif 000002